(57)【要約】【課題】水中に存する投光対象に対して、水中から投光を行うための装置等を提供すること。【解決手段】基礎と該基礎に接続してある光源に、浮力体でもって浮力を与えて、前記基礎を水底に保持し、且つ前記光源および浮力体を水中の所定箇所に保持した状態で、前記投光対象へと投光する。本発明によれば、通常であれば光の届きにくい箇所に対しても、十分に光照射を行うことができるだけでなく、水面周辺に障害物を設ける必要がないため、現場が航路であっても適用することができる。【選択図】図１
2017191706.tif 000002
【特許請求の範囲】
【請求項１】
水底に設置する、水中用投光装置であって、
基礎と、
前記基礎と接続した光源と、
前記光源に浮力を与えて、前記光源とともに水中の所定箇所へと保持可能な浮力体と、を少なくとも具備することを特徴とする、
水中用投光装置。
【請求項２】
前記投光対象の周囲に設置する流速抑制手段を更に具備することを特徴とする、
請求項１に記載の水中投光装置。
【請求項３】
前記基礎に、前記光源に給電するバッテリーを設けたことを特徴とする、
請求項１または２に記載の水中用投光装置。
【請求項４】
水中に存する投光対象に対し水中から投光を行うための、水中での光源の姿勢制御方法であって、
基礎に接続してある光源に、浮力体でもって浮力を与えて、前記基礎を水底に保持しつつ、前記光源および浮力体を水中の所定箇所へ保持することを特徴とする、
水中での光源の姿勢制御方法。
【発明の詳細な説明】
【技術分野】
【０００１】
本発明は、水中に存する投光対象に対し水中から投光を行うための投光装置、および水中での光源の姿勢制御方法に関する。
【背景技術】
【０００２】
赤潮の発生防止、藻類植物の培養、水底の底泥改善、集魚などを目的として、光の届きにくい水中や水底に光を照射する方法が知られている。
例えば、以下の特許文献１には、水底の凹部に集めた浮泥に、水上の浮体構造物からウインチで水中に吊り下げたワイヤに接続した光源で光照射を行う、底泥の改質方法が開示されている。
また、以下の特許文献２には、水面に設けたブイから、おもりで水中に吊り下げた光源で集魚を行う方法が開示されている。
【先行技術文献】
【特許文献】
【０００３】
【特許文献１】特開２０００−２５４６９５号公報
【特許文献２】特開２０００−１２５６９８号公報
【発明の概要】
【発明が解決しようとする課題】
【０００４】
しかし、前記した各特許文献に記載の技術では、水面や水面直下に、ブイや浮体構造物、ワイヤなどが存することになるため、現場が航路に設定されている場合に適用できない問題があった。
【課題を解決するための手段】
【０００５】
上記課題を解決すべくなされた本願の第１発明は、水底に設置する、水中用投光装置であって、基礎と、前記基礎と接続した光源と、前記光源に浮力を与えて、前記光源とともに水中の所定箇所へと保持可能な浮力体と、を少なくとも具備することを特徴とする。
また、本願の第２発明は、前記第１発明において、前記投光対象の周囲に設置する流速抑制手段を更に具備することを特徴とする。
また、本願の第３発明は、前記第１発明または第２発明において、前記基礎に、前記光源に給電するバッテリーを設けたことを特徴とする。
また、本願の第４発明は、水中に存する投光対象に対し水中から投光を行うための、水中での光源の姿勢制御方法であって、基礎に接続してある光源に、浮力体でもって浮力を与えて、前記基礎を水底に保持しつつ、前記光源および浮力体を水中の所定箇所へ保持することを特徴とする。
【発明の効果】
【０００６】
本願発明によれば、以下に記載する効果を奏する。
（１）水底に設置した基礎から光源を水中に配置するため、水面周辺近傍にブイや浮体構造物などを配する必要が無く、現場が航路に設定されている場所でも使用することができる。
また、光源と投光対象との距離を一定に保つことができ、海底に設置する場合でも海の干満の影響を受けることもない。
（２）投光対象の周囲に流速抑制手段を設けることにより、投光対象周辺の付着生物の剥離や流失を防止することができる。
（３）基礎に光源に給電するバッテリーを設けることで、光源への電源供給の配線を別途水中に設ける必要がなく、航路の障害になることがない。また、バッテリーの重量を、基礎の一部または全部として兼用することができる。
【図面の簡単な説明】
【０００７】
【図１】実施例１に係る水中投光装置の概略図。
【図２】実施例２に係る水中投光装置の概略図。
【図３】実施例３に係る水中投光装置の概略図。
【発明を実施するための形態】
【０００８】
以下、図面を参照しながら、本発明の実施例について説明する。
【実施例１】
【０００９】
本発明の第１実施例について、図１を参照しながら説明する。
＜１＞概要
本発明は、水中投光装置Ａを水底Ｂに設置して、水中に存する投光対象Ｃに対し、水中から投光するものである。
水中投光装置Ａは、基礎１０と、光源２０と、浮力体３０とを少なくとも具備し、基礎１０に接続してある光源２０に、浮力体３０でもって浮力を与えて、前記基礎１０を水底Ｂに保持しつつ、前記光源２０および浮力体３０を水中の所定箇所へ保持するように姿勢制御することを特徴とする。
以下、水中投光装置Ａを構成する各部材の詳細について説明する。
【００１０】
＜２＞基礎
基礎１０は、水底Ｂに設置する部材である。
基礎１０は、コンクリートブロックなどの重量物で構成することができる。
【００１１】
＜３＞光源
光源２０は、基礎１０に接続して、水中に存する投光対象Ｃへと投光（光照射）するための装置である。
投光対象Ｃは、水底、水中空間、水中構造物など様々である。よって、光源２０は、投光対象Ｃの場所に応じて投光方向を任意の方向に設定自在な構成とすることが望ましい。
例えば、光源２０でもって水底Ｂの底泥へと投光した場合には、付着生物を底泥表面で繁殖させることによって光合成を行わせて、貧酸素環境の改善にも寄与する。
【００１２】
＜３．１＞光源に用いる発光装置
光源２０は、投光作業の目的に応じて適した公知の発光装置を用いることができる。
例えば、光源２０の発光装置に青色ＬＥＤを用いた場合、光合成生物の増殖、渦鞭毛藻の発生抑制、集魚効果、フジツボやムラサキガイなどの付着生物の幼生付着抑制などの効果を得ることが出来る。
【００１３】
＜３．２＞光源と基礎との接続方法
光源２０は、基礎１０から接続材４０を介して接続されている。
接続材４０は、柱材や、可撓性のあるワイヤなどを用いることができる。
接続材４０の長さは、前記光源２０が水中に存する範囲で、投光対象Ｃの位置や投光対象Ｃまでの距離に応じて決定することができる。
【００１４】
＜３．３＞光源への電力供給方法
光源２０への電力供給は、水面や水面直下で障害とならない範囲で種々の方法を採用することができる。
例えば、陸が近い場所では、地上から電線を配線して光源に接続する態様としてもよいし、その他、基礎１０の内部に、光源２０へと給電可能なバッテリーを設けた態様としてもよい。
【００１５】
＜４＞浮力体
浮力体３０は、装置全体に浮力を与えるための装置である。
浮力体３０は、公知の浮体を用いることができる。
浮力体３０として必要な浮力は、水中投光装置Ａ全体の自重と釣り合う程度、またはそれよりも僅かに小さい程度とする。
この自重と浮力とのバランスによって、水中投光装置Ａを水底Ｂの周辺に留めおいた状態を維持することができる。
また、水底Ｂが底泥などの軟弱地盤である場合であっても、浮力体３０による浮力でもって、基礎１０が底泥に大きく沈み込むことを防止することができる。
【００１６】
＜５＞使用方法
本発明に係る水中投光装置Ａは、水上の船や浮体構造物からウインチなどで水底Ｂへと吊り下げて設置する。
このとき、浮力体３０には、予め浮力を導入しておいてもよいし、水底Ｂへの沈設後に浮力を導入しておいてもよい。
水中投光装置Ａを水底Ｂに設置した後は、船や浮体構造物は、現場から離脱させておくことができるため、現場の航路の障害になることがない。
このように、本発明に係る水中投光装置Ａは、あたかも街路灯を水底Ｂに配置したかのように機能し、通常であれば光の届きにくい箇所に対しても、十分に光照射を行うことが可能となる。
【００１７】
なお、光源２０を水中のどの箇所に保持するかは、使用目的、水中環境、光源２０の特性（色、温度、光量子束密度など）などの諸条件に応じて、任意に設定することができる。
例えば、光合成による貧酸素環境の改善のために、水底Ｂの底泥に投光する場合において、光源２０に１００Ｗの青色ＬＥＤを用いるときには、光源２０と水底Ｂとの離隔距離は１ｍ〜１．５ｍ程度が適している。
この最適な離隔距離を維持するよう、浮力体３０によって導入する浮力の値やや接続材４０の長さを適宜設定すればよい。
【実施例２】
【００１８】
本発明の第２実施例について、図２を参照しながら説明する。
本実施例では、接続材４０として十字形状の架台を用い、前記架台の横材に光源２０を複数基、並列配置している。
本実施例によれば、必要な光量や投光面積に応じた、光源２０の配置が可能となる。
【実施例３】
【００１９】
本発明の第３実施例について、図３を参照しながら説明する。
本実施例では、光源２０による投光対象Ｃの周囲に、流速抑制手段５０を設置している。
流速抑制手段５０は、柵、網、壁材または枠材などを、投光対象Ｃを取り囲むように配置して構成する。
この流速抑制手段５０によって、投光対象Ｃ内での流速を抑制することで、投光対象Ｃ周辺の流れによる付着生物の剥離や流失を防止することができる。
【符号の説明】
【００２０】
Ａ    水中投光装置
Ｂ    水底
Ｃ    投光対象
１０  基礎
２０  光源
３０  浮力体
４０  接続材
５０  流速抑制手段
【図１】
2017191706.tif 000003
【図２】
2017191706.tif 000004
【図３】
2017191706.tif 000005